(57)【要約】   【課題】利用者の好みの形、色及び柄を正確に反映した衣料品を提案することができ、しかも携帯端末上で使用できる衣料品製造方法、衣料品製造装置、衣料品製造システムを提供する。 【解決手段】複数の商品を撮影して得た撮影写真から商品情報を取得し、前記  商品情報に基づいて利用者の嗜好傾向を分析して利用者嗜好傾向情報を生成し、前記利用者嗜好傾向情報に基づいて利用者に衣料品要素の選択肢を提案し、前記選択肢の中から利用者が選択した衣料品要素を利用者選択情報とし、この利用者選択情報に基づいて商品の型紙を生成し、この型紙を用いて３Ｄプリンタで商品を製造する【選択図】 図１
2017117279.tif 000002
【特許請求の範囲】
【請求項１】
複数の商品を撮影して得た撮影写真から商品情報を取得し、前記商品情報に基づいて利用者の嗜好傾向を分析して利用者嗜好傾向情報を生成し、前記利用者嗜好傾向情報に基づいて利用者に衣料品要素の選択肢を提案し、前記選択肢の中から利用者が選択した衣料品要素を利用者選択情報とし、この利用者選択情報に基づいて商品の型紙を生成し、この型紙を用いて３Ｄプリンタで商品を製造する衣料品製造方法。
【請求項２】
前記複数の商品を撮影して得た撮影写真から利用者選択情報を生成する工程は、携帯端末に搭載された携帯アプリケーション上で実行し、前記利用者選択情報から前記商品の型紙を生成する工程は、コンピュータ上で実行することを特徴とする請求項１に記載の衣料品製造方法。
【請求項３】
前記携帯端末には、特定の提携店舗の位置情報を記憶させておき、前記携帯端末のアプリケーションは、利用者の携帯端末の位置情報を用いて前記提携店舗以外の店舗では起動しないことを特徴とする請求項２に記載の衣料品製造方法。
【請求項４】
複数の商品を撮影して得た撮影写真から商品情報を取得する商品情報取得部と、前記商品情報に基づいて利用者の嗜好傾向を分析して利用者嗜好傾向情報を生成する嗜好傾向情報生成部と、前記利用者嗜好傾向情報に基づいて利用者に衣料品要素の選択肢を提案する選択肢生成部と、前記選択肢の中から利用者が選択した衣料品要素を利用者選択情報とする利用者選択情報生成部と、この利用者選択情報に基づいて商品の型紙を生成する型生成部と、この商品の型紙を用いて商品を製造する３Ｄプリンタとを有することを特徴とする衣料品製造装置。
【請求項５】
前記商品情報取得部と、前記嗜好傾向情報生成部と、前記選択肢生成部と、前記利用者選択情報生成部とは、携帯端末に搭載された携帯アプリケーション上で実行させ、前記型生成部は、コンピュータ上で実行させることを特徴とする請求項４に記載の衣料品製造装置。
【請求項６】
前記携帯端末は、特定の提携店舗の位置情報を記憶させておく記憶部を有し、前記携帯端末のアプリケーションは、利用者の携帯端末の位置情報を用いて前記記憶部に記憶させた前記提携店舗以外の店舗では起動しないことを特徴とする請求項５に記載の衣料品製造装置。
【請求項７】
空港、駅又は事業者のサイトにおいて、観光客及び買い物客に前記請求項３に記載の携帯アプリケーションを自己の携帯端末に無料でダウンロードしてもらい、この観光客又は買い物客に、前記提携店舗にて気に入った商品を撮影してもらい、前記携帯アプリケーションが生成した利用者選択情報を、前記コンピュータに送信してもらい、事業者は、前記３Ｄプリンタにて商品を製造し、前記観光客及び買い物客に販売することを特徴とする衣料品製造システム。
【請求項８】
外国からの観光客を対象とすることを特徴とする請求項7に記載の衣料品製造システム。
【発明の詳細な説明】
【技術分野】
【０００１】
１．本発明は、携帯端末アプリ―ケーションとコンピュータ及び３Ｄプリンタを使用して利用者の嗜好にあったオリジナルの衣料品を作成することができる衣料品製造方法に関するものである。
２．本発明は、携帯端末アプリ―ケーションとコンピュータ及び３Ｄプリンタを使用して利用者の嗜好にあったオリジナルの衣料品を作成することができる衣料品製造装置に関するものである。
３．本発明は、観光客及び買い物客に携帯端末アプリ―ケーションを利用してもらい、事業者がコンピュータ及び３Ｄプリンタを使用して利用者の嗜好にあったオリジナルの衣料品を作成し販売することができる衣料品製造システムに関するものである。  
【背景技術】
【０００２】
従来は、利用者のファッションの好み等を反映してファッションコーディネートをすることが提案されている（特許文献１）
【０００３】
この従来装置は、インターネット上の商品情報取得手段、商品情報に基づきコーディネート情報を提供するコーディネート情報提供手段、インターネット上の利用者情報を取得する利用者情報取得手段、利用者情報に基づき利用者のファッション傾向を推定して利用者ファッション傾向情報を生成する利用者ファッション傾向情報生成手段とを含む。そして、コーディネート情報提供手段は、利用者ファッション傾向情報生成手段で生成された利用者ファッション傾向情報に基づき、前記コーディネート情報を提供する。このファッションコーディネート支援装置によって、利用者のファッションの好み等を反映したファッションコーディネートをすることが可能になる。
【先行技術文献】
【特許文献】
【０００４】
【特許文献１】特開２０１５−７２６３９号公報
【発明の概要】
【発明が解決しようとする課題】
【０００５】
特許文献1の装置では、インターネット上で商品情報を取得することから正確な形や色、柄を確認できず、コンピュータ上で提供されたコーディネート情報をもとに実際にコーディネートしてみても利用者の満足いくものにならない可能性があるという問題点がある。  
【０００６】
また、従来装置はコンピュータ、携帯端末両方での使用向けに考えられているが、近年では携帯端末でインターネットを使用する利用者の方が多く、コンピュータでのインターネット利用履歴からでは正確な情報を把握できない可能性が高い上に、情報を気軽に持ち運べないという欠点がある。
【０００７】
さらに、従来装置は、既存の商品を用いて利用者にファッションコーディネートを提案することはできるが、新しい商品を提供することはできないという欠点もある。
【０００８】
本発明は、このような従来の装置が有していた問題を解決しようというものであり、利用者の好みの形、色及び柄を正確に反映した衣料品を提案することができ、しかも携帯端末上で使用できる衣料品製造方法、衣料品製造装置、衣料品製造システムを提供することを目的とする。
【課題を解決するための手段】
【０００９】
本発明に係る衣料品製造方法は、複数の商品を撮影して得た撮影写真から商品情報を取得し、前記商品情報に基づいて利用者の嗜好傾向を分析して利用者嗜好傾向情報を生成し、前記利用者嗜好傾向情報に基づいて利用者に衣料品要素の選択肢を提案し、前記選択肢の中から利用者が選択した衣料品要素を利用者決定情報とし、この利用者選択情報に基づいて商品の樹脂型を生成し、この樹脂型を用いて３Ｄプリンタで商品を製造することを特徴とする。
【発明の効果】
【００１０】
本発明では、利用者が携帯端末アプリケーションを使用して提携店舗で撮影した商品写真について利用者の嗜好傾向に沿った選択肢を提供し、利用者が決定した情報に基づいてコンピュータで樹脂型を生成する。そして、この樹脂型を用いて３Ｄプリンタで衣料品を製造して利用者に提供できるという利点がある。
また、携帯端末専用のアプリケーションを使用することにより持ち運びが容易になり、特に観光客の利用が可能になるという利点がある。
【図面の簡単な説明】
【００１１】
【図１】本発明の実施形態の一例を示す構成概略図
【図２】本発明の携帯端末アプリケーションの実施形態の一例を示す構成概略図
【図３】図２の携帯端末アプリケーションにおける衣料品要素選択肢提供と利用者選択情報の処理の一例を示すフローチャート
【図４】図２の携帯端末アプリケーションにおける商品情報から形情報、色情報、柄情報の抽出方法の一例を示す図
【図５】図２の携帯端末アプリケーションにおける利用者選択情報の生成方法をの一例を示す図
【図６】新商品生成の実施形態の一例を示す構成概略図
【発明を実施するための形態】
【００１２】
次に、本発明について図面を参照して説明する。
【００１３】
図1に本発明の実施形態の一例の構成概略図を示す。本発明では、まず利用者の携帯端末１に事業者のサイトよりアプリケーション５をダウンロードする。利用者携帯端末としては、例えばカメラ付きスマートフォン、カメラ付きタブレットがある。利用者携帯端末１は前記アプリケーション５を使用して利用者が選択した利用者決定情報を、例えば事業者のオフィスに設置してあるコンピュータ２に送信し、コンピュータ２はその情報に基づいて新商品の樹脂型３を生成する。アプリケーション５からコンピュータ２への情報の送信は、例えばWiFi、4G、3G、LTE回線又は有線ケーブル等を使用する。３Ｄプリンタ４は、例えば事業者のオフィスに於いて、樹脂型３に溶解した繊維を吹き付けて密に重ねることで新商品２８を製造する。
【００１４】
次に、図２に本発明の携帯端末アプリケーション５の実施形態を表す構成概略図を示す。本発明の携帯端末１には、商品情報取得部６、嗜好傾向情報生成部７、衣料品要素選択肢提供部８、利用者選択情報記録部９、利用者選択情報送信部１０、利用者決定情報送信部１１から構成されたアプリケーション５がダウンロードされている。そして、携帯端末アプリケーション５はコンピューター２に例えばWiFi、4G、3G、LTE回線又は有線ケーブル等を用いて相互に接続可能となっている。商品情報取得部６は、利用者が店舗で気に入った商品の写真を撮影することを可能にし、その写真を記録する。商品情報取得部６を使用する際には著作権保護上、商品の撮影を許可するという提携契約を交わした店舗において作動するようにしておく。アプリケーション５には、提携店舗以外の店での撮影を禁止するため、提携店舗の位置情報を記録し、利用者の携帯端末１の位置情報を用いて提携店舗以外の店舗では作動しないようにする。提携店舗側には、店舗名をアプリケーション５上に記載することにより、宣伝効果を得られるというメリットがある。
【００１５】
また、複数の利用者が撮影した商品のうち、撮影頻度の高かった商品を、例えば１店舗につき上位５点アプリケーション６内で紹介することにより、商品の宣伝効果を得られるというメリットもある。嗜好傾向情報生成部７は、記録された複数の写真の商品情報から、パターン認識という情報処理方法を用いて形情報、色情報、柄情報を抽出する。また、例えば素材情報を抽出することも可能である。衣料品要素選択肢提供部８は、前記抽出結果に基づいて形、色、柄の各要素について登場頻度の高かった選択肢を例えば３点提案する。また、例えば素材情報についての選択肢を提供することも可能である。この選択肢から利用者が各要素につき１点ずつ選択した決定事項を、利用者選択情報記録部９が記録する。この記録された情報を利用者選択情報送信部１０がコンピュータ２に例えばWiFi、4G、3G、LTE回線又は有線ケーブル等を用いて送信する。コンピュータ２は、利用者が選択した情報を統合し画像を作成してアプリケーション６に送信する。利用者はこの画像を見て、画像の商品を購入したいかどうか最終決定し、利用者決定情報送信部１１は利用者が決定した結果を例えばWiFi、4G、3G、LTE回線又は有線ケーブル等を用いてコンピュータ２に送信する。コンピュータ２は前記利用者決定情報に基づいて樹脂型３を生成し、新商品生成部である３Ｄプリンタ４は樹脂型３に溶解した繊維を吹き付けて、密に重ねることによって新商品２８を製造する。
【００１６】
次に、図３のフローチャートを使用して、嗜好傾向情報生成部７、衣料品要素選択肢提供部８、利用者選択情報記録部９の処理の一例を説明する。
【００１７】
まず、嗜好傾向情報生成部７は、商品情報である写真からパターン認識を用いて、例えばフレアスカート、袖なしワンピース、半袖丸首Ｔシャツ等の形情報を抽出する（ステップ１２）Ｓ１２。次いで、商品情報である写真から例えば赤、黒、ピンク等の色情報を抽出する（ステップ１３）Ｓ１３。次に、商品情報である写真から例えば水玉、花柄、無地等の柄情報を抽出する（ステップ１４）Ｓ１４。また、例えば素材情報についての情報を抽出する事も可能である。衣料品要素選択肢提供部８は、抽出された情報から各要素別に登場頻度が高かった選択肢の例えば上位３点を抽出し、提供する（ステップ１５）Ｓ１５。そして、この選択肢から利用者が各要素につき１点ずつ選択し（ステップ１６）Ｓ１６この選択情報とサイズ情報を利用者選択情報記録部９に記録する。その後、この情報を利用者選択情報送信部１０によりコンピュータ２へ送信する（ステップ１７）Ｓ１７。そして、コンピュータ２は利用者が選択した情報を統合して画像を作成する（ステップ１８）Ｓ１８。コンピュータ２は前記画像をアプリケーション６に送信し利用者に示す（ステップ１９）Ｓ１９。利用者はステップ１９の画像を見て例えば決定ボタンを押し、利用者決定情報をコンピュータに送信する（ステップ２０）Ｓ２０。利用者が画像を見て最終決定をする方法は、決定ボタンを押す以外に、「この商品を購入したいか」、という問いに対して「はい」又は「いいえ」ボタンのどちらかを選択する等の方法であっても良い。なお、図３において、各要素の情報の抽出の順序は例示に過ぎず、図示の順序に限られずに様々な順序で情報を抽出することが可能である。
【００１８】
図４に嗜好傾向情報生成部７において商品情報から形情報、色情報、柄情報を抽出する方法の一例を示す。図示のように、提携店舗で撮影された複数の衣料品の商品情報から、形という衣料品要素ついては登場頻度が高かった例えば上位３位のフレアスカート、袖なしワンピース、半袖丸首Ｔシャツを抽出する。同様に、色については例えば赤、黒、ピンクを抽出する。また同様に柄については例えば水玉、花柄、無地を抽出する。なお、図４において各抽出項目の内容は例示に過ぎず、図示の内容に限らず形情報については他にも長袖ブラウス、カッターシャツ、ジーンズなど、色情報については黄緑、えんじ、ベージュなど、柄情報についてはストライプ、ペイズリー、織で模様を浮き上がらせたジャガード織などを抽出することが可能である。また、例えば素材情報についての情報を抽出する事も可能である。
【００１９】
図５に衣料品要素選択肢提供部８における利用者選択情報の生成方法の一例を示す。図示のように、形情報２２、色情報２３、柄情報２４の各要素別に、図４で抽出した例えば３種類の形、色、柄を選択肢として提供する。例えば、形情報についてはフレアスカート、袖なしワンピース、半袖丸首Ｔシャツを、色情報については例えば赤、黒、ピンクを、柄情報については例えば水玉、花柄、無地を選択肢として提供する。この形、色、柄の各要素に加え、衣料品を製造する際に必要不可欠な要素であるサイズ情報２５については、例えばＳ（スモール）、Ｍ（ミディアム）、Ｌ（ラージ）という選択肢を提供する。また、例えば素材情報についての選択肢を提供することも可能である。利用者は形、色、柄の各要素について選択肢の中から最も自分の嗜好に合うものを選択し、サイズについては自分の体に合うものを選択する。コンピュータは利用者が選択した情報を統合して画像２６を生成する。なお、図５においてサイズ情報の提示の仕方は例示に過ぎず、図示の内容に限らず７号、９号、１１号などの提示の仕方や140cm〜150cm、150cm〜160cm、160cm〜170cmなどの提示の仕方をすることが可能である。
【００２０】
図６に新商品製造の一例を示す。図５で利用者が決定した利用者決定情報２７はコンピュータ２に送信され、その情報に基づいて樹脂型３が生成される。３Ｄプリンタ４はその樹脂型３に溶解した繊維を吹き付けて、密に重ねることによって新商品２８を製造する。
【符号の説明】
【００２１】
１    利用者携帯端末
２    コンピュータ
３    新商品の樹脂型
４    ３Ｄプリンタ
５    携帯端末アプリケーション
６    商品情報取得部
７    嗜好傾向情報生成部
８    衣料品要素別選択肢提供部
９    利用者選択情報記録部
１０  利用者選択情報送信部衣料品要素選択肢提供部８
１１  利用者決定情報送信部
２１  商品情報
２２  形情報
２３  色情報
２４  柄情報
２５  サイズ情報
２６  利用者選択情報
２７  利用者決定情報
２８  新商品
【図１】
2017117279.tif 000003
【図２】
2017117279.tif 000004
【図３】
2017117279.tif 000005
【図４】
2017117279.tif 000006
【図５】
2017117279.tif 000007
【図６】
2017117279.tif 000008